(57)【特許請求の範囲】
【請求項１】
上面に椀状のグリルを装着したスピーカの界磁部を保持する中仕切板と、上面に開閉自在の開閉部とこの開閉部に延長して折り返されて上記開閉部に重畳係止されると共に上記グリルの椀状の頂部およびその近傍と対応する部分に空間部を形成する切欠部を設けてなる折曲部を形成した上記中仕切板を収納する内箱とで構成されるスピーカ用内装箱であって、上記切欠部により形成された上記グリル上に形成される上記空間部と上記グリルと上記内箱間のグリル上面周辺に形成された空間部によってグリルが直接受ける衝撃を吸収する構成としたスピーカ用内装箱。
【発明の詳細な説明】
【０００１】
【発明の属する技術分野】
本発明は各種音響機器に使用されるスピーカの搬送用に用いられるスピーカ用内装箱に関するものである。
【０００２】
【従来の技術】
従来のスピーカ用内装箱について、図３、図４により説明する。
【０００３】
図３は発泡スチロールを包装材として用いたスピーカ用内装箱の分解斜視図であり、図４は段ボールを包装材として用いたスピーカ用内装箱の斜視図である。
【０００４】
図３によると、９ａはスピーカであり、９ｂは音響機器のパネルに取り付けるとき前面に装着される中央部分を若干高く椀状に形成したパンチングネットともいわれるグリルである。
【０００５】
８は上記スピーカ９ａ及びグリル９ｂの形状に合わせた切り欠き部１０ａを形成した発泡スチロールからなる一対の緩衝体であり、スピーカ９ａとグリル９ｂをはめ合わせて、緩衝体８に応じた箱（図示せず）に収納するものであった。
【０００６】
図４は段ボールを包装材として用いたものであり、箱型の内箱１１にスピーカ９ａの重心を保持する箱型中仕切１２を入れ、このスピーカ９ａの界磁部９ｃを箱型中仕切１２の保持用孔１２ａに保持しながら中仕切１２にスピーカ９ａを入れるようにして内箱１１に収納するものであった。
【０００７】
なお、特に図示しないがこの内箱１１の複数個を搬送用外装箱に収納してスピーカは搬送されるものである。
【０００８】
【発明が解決しようとする課題】
しかしながら、図３のような発泡スチロールを緩衝体８として使用するものは、省資源化の状況からリサイクルしやすい紙（段ボール）製に移行されつつあり、又、図４のような段ボールを内装箱として使用するものは、スピーカ９ａ及びグリル９ｂ全体を覆い被せるような構造にし、段ボールのクッション効果により耐包装落下に対する強度保証を行ってきたが、スピーカ９ａの界磁部９ｃの大形化により図５に示すようにグリル９ｂを外方に向けた状態であるので内箱１１の厚みＴではグリル９ｂの中央部分に落下衝撃等の衝撃が加わった場合グリル９ｂが変形する可能性を有していた。
【０００９】
本発明は以上のような従来の欠点を除去したスピーカ用内装箱を提供することを目的とするものである。
【００１０】
【課題を解決するための手段】
上記課題を解決するために本発明のスピーカ用内装箱は、上面に椀状のグリルを装着したスピーカの界磁部を保持する中仕切板と、上面に開閉自在の開閉部とこの開閉部に延長して折り返されて上記開閉部に重畳係止されると共に上記グリルの椀状の頂部およびその近傍と対応する部分に切欠部を設けてなる折曲部を形成した上記中仕切板を収納する内箱とで構成したものであり、スピーカ用内装箱へのスピーカの収納時の落下衝撃（面落下）にあっても、上記切欠部により形成された空間部とグリルと内箱間のグリル上面周辺に形成された空間部によってグリルが直接受ける落下衝撃等の衝撃を吸収してグリルの変形等を防ぐものである。
【００１１】
【発明の実施の形態】
本発明の請求項１に記載の発明は、上面に椀状のグリルを装着したスピーカの界磁部を保持する中仕切板と、上面に開閉自在の開閉部とこの開閉部に延長して折り返されて上記開閉部に重畳係止されると共に上記グリルの椀状の頂部およびその近傍と対応する部分に空間部を形成する切欠部を設けてなる折曲部を形成した上記中仕切板を収納する内箱とで構成するものであり、上記切欠部により形成された空間部とグリルと内箱間のグリル上面周辺に形成された空間部によってグリルが直接受ける落下衝撃等の衝撃を吸収してグリルの変形等を防ぐものである。
【００１２】
以下、本発明のスピーカ用内装箱の一実施の形態について図１、図２により説明する。
【００１３】
図１は、本発明の一実施の形態のスピーカ用内装箱にスピーカを収納する状態を説明する分解斜視図であり、図２は同スピーカを収納した状態の側断面図である。
【００１４】
同図によると、１は上面部に開閉部１ａを有する内箱であり、１ｂはこの開閉部１ａの開閉方向と直交する方向の両端を延長して形成された一対の折曲部であり、折曲部１ｂの折曲部分の対辺にはＵ字形の切欠部１ｃが設けられている。
【００１５】
なお、上記切欠部１ｃは後述するように収納するスピーカ３に装着した椀状のグリル４の最頂部およびその近傍に相当する部分に当たり、一般的にスピーカ３がコーン状であればグリル４も円形の浅い椀状となっているので、略半円状となり開閉部１ａのそれぞれの折曲部１ｂを折曲したときは、上記切欠部１ｃは略円形を形成するものである。
【００１６】
２は中央に孔２ａを設けスピーカ３の界磁部３ａを挿入してこのスピーカ３の重心を保持する箱型の中仕切板であり、内箱１にこの中仕切板２を入れ、スピーカ３の界磁部３ａを中仕切板２に保持しながら内箱１にスピーカ３およびグリル（パンチングネット）４が収納される。
【００１７】
スピーカ３およびグリル４の内箱１への収納後、開閉部１ａが閉じられ更に折曲部１ｂがこの開閉部１ａに折曲して重畳され、粘着テープ等の既知の係止手段で開閉部１ａから浮き上がらないように係止される。
【００１８】
以上の構成により図２に示すごとく、グリル４の最頂部およびその近傍上部には内箱１の開閉部１ａを介して空間部１ｄが形成され、グリル４の上方周縁部は開閉部１ａとの間に空間部１ｅが形成されるので、上方からの面的な衝撃に対する緩衝として上記空間部１ｄ，１ｅがクッションとして機能しグリル４の変形を防止するものである。
【００１９】
なお、上記切欠部１ｃは上記実施の形態においては略半円状としたが、スピーカ３に装着されるグリル４の形状によってまた内箱１への収納状態によってグリル４の収納時の頂面も異なり、また、内箱１の緩衝材としての程度も異なるのでこれらを勘案して適宜設定されるものである。
【００２０】
【発明の効果】
以上のように、本発明のスピーカ用内装箱は切欠部を有する折曲部を設けることによって、グリル変形等を防止することができる極めて有用なスピーカ用内装箱を提供するものである。
【図面の簡単な説明】
【図１】本発明の一実施の形態のスピーカ用包装箱にスピーカを収納する状態を説明する分解斜視図
【図２】同スピーカを収納した状態の側断面図
【図３】従来のスピーカ用内装箱の要部の発泡スチロール包装材の分解斜視図
【図４】従来の段ボールを包装材として用いたスピーカ用内装箱の斜視図
【図５】同要部断面図
【符号の説明】
１  内箱
１ａ  開閉部
１ｂ  折曲部
１ｃ  切欠部
１ｄ，１ｅ  空間部
２  中仕切板
２ａ  孔
３  スピーカ
３ａ  界磁部
４  グリル
【図１】
0003896615.tif 000002
【図２】
0003896615.tif 000003
【図３】
0003896615.tif 000004
【図４】
0003896615.tif 000005
【図５】
0003896615.tif 000006